【手続補正書】
【提出日】平成16年3月22日(2004.3.22)
【手続補正１】
【補正対象書類名】明細書
【補正対象項目名】特許請求の範囲
【補正方法】変更
【補正の内容】
【特許請求の範囲】
【請求項１】
画像情報に応じた現像剤像を被画像形成媒体上に付与する付与手段と、
この付与手段による被画像形成媒体を搬送する搬送手段と、
加熱手段を内蔵する定着ローラを有し、上記搬送手段により搬送される被画像形成媒体に対して加熱することにより、被画像形成媒体上の現像剤を被画像形成媒体に定着させる定着手段と、
上記定着ローラの別々の部位の表面温度をそれぞれ検知する第１、第２の検知手段と、
少なくとも第１の検知手段による検知温度に基づいて、上記加熱手段への電源供給を制御することにより、上記定着ローラの表面温度を制御する制御手段と、
上記第１、第２の検知手段による検知温度の温度差が所定値以上となった際に、上記定着手段への上記搬送手段による被画像形成媒体の搬送を停止する停止手段と、
を具備したことを特徴とする画像形成装置。
【請求項２】
画像情報に応じた現像剤像を被画像形成媒体上に付与する付与手段と、
この付与手段による被画像形成媒体を搬送する搬送手段と、
加熱手段を内蔵する定着ローラを有し、上記搬送手段により搬送される被画像形成媒体に対して加熱することにより、被画像形成媒体上の現像剤を被画像形成媒体に定着させる定着手段と、
上記定着ローラの別々の部位の表面温度をそれぞれ検知する第１、第２の検知手段と、
少なくとも第１の検知手段による検知温度に基づいて、上記加熱手段への電源供給を制御することにより、上記定着ローラの表面温度を制御する制御手段と、
上記第１、第２の検知手段による検知温度の温度差が第１の温度差以上となった際に、上記搬送手段による上記定着手段への被画像形成媒体の搬送を停止する停止手段と、
上記停止手段による停止後、上記第１、第２の検知手段により検知温度の温度差が第２の温度差以下となった際、上記搬送手段による上記定着手段への被画像形成媒体の搬送を再開する再開手段と、
を具備したことを特徴とする画像形成装置。
【請求項３】
画像情報に応じた現像剤像を被画像形成媒体上に付与する付与手段と、
この付与手段による被画像形成媒体を搬送する搬送手段と、
加熱手段を内蔵する定着ローラを有し、上記搬送手段により搬送される被画像形成媒体に対して加熱することにより、被画像形成媒体上の現像剤を被画像形成媒体に定着させる定着手段と、
上記定着ローラの別々の部位の表面温度をそれぞれ検知する第１、第２の検知手段と、
少なくとも第１の検知手段による検知温度に基づいて、上記加熱手段への電源供給を制御することにより、上記定着ローラの表面温度を制御する制御手段と、
上記搬送手段により搬送される被画像形成媒体の幅が上記定着ローラの幅よりも狭く、かつ所定の幅以下であるか否かを判断する判断手段と、
上記第１、第２の検知手段による検知温度の温度差が所定値以上となり、かつ上記判断手段により被画像形成媒体が所定の幅以上と判断された際に、上記搬送手段による上記定着手段への被画像形成媒体の搬送を停止する停止手段と、
を具備したことを特徴とする画像形成装置。
【請求項４】
画像情報に応じた現像剤像を被画像形成媒体上に付与する付与手段と、
この付与手段による被画像形成媒体を搬送する搬送手段と、
加熱手段を内蔵する定着ローラを有し、上記搬送手段により搬送される被画像形成媒体に対して加熱することにより、被画像形成媒体上の現像剤を被画像形成媒体に定着させる定着手段と、
上記定着ローラの別々の部位の表面温度をそれぞれ検知する第１、第２の検知手段と、
少なくとも第１の検知手段による検知温度に基づいて、上記加熱手段への電源供給を制御することにより、上記定着ローラの表面温度を制御する制御手段と、
上記搬送手段により搬送される被画像形成媒体の幅が上記定着ローラの幅よりも狭く、かつ所定の幅以下であるか否かを判断する判断手段と、
上記第１、第２の検知手段による検知温度の温度差が第１の温度差以上となり、かつ上記判断手段により被画像形成媒体が所定の幅以上と判断された際に、上記搬送手段による上記定着手段への被画像形成媒体の搬送を停止する停止手段と、
上記停止手段による停止後、上記第１、第２の検知手段により検知温度の温度差が第２の温度差以下となった際、上記搬送手段による上記定着手段への被画像形成媒体の搬送を再開する再開手段と、
を具備したことを特徴とする画像形成装置。
【請求項５】
画像情報に応じた現像剤像を被画像形成媒体上に付与する付与手段と、
この付与手段による被画像形成媒体を搬送する搬送手段と、
加熱手段を内蔵する定着ローラを有し、上記搬送手段により搬送される被画像形成媒体に対して加熱することにより、被画像形成媒体上の現像剤を被画像形成媒体に定着させる定着手段と、
上記定着ローラの別々の部位の表面温度をそれぞれ検知する第１、第２の検知手段とを具備する画像形成装置において、
少なくとも第１の検知手段による検知温度に基づいて、上記加熱手段への電源供給を制御することにより、上記定着ローラの表面温度を制御し、
上記第１、第２の検知手段による検知温度の温度差が所定値以上となった際に、上記定着手段への上記搬送手段による被画像形成媒体の搬送を停止する、
ことを特徴とする画像形成方法。
【請求項６】
画像情報に応じた現像剤像を被画像形成媒体上に付与する付与手段と、
この付与手段による被画像形成媒体を搬送する搬送手段と、
加熱手段を内蔵する定着ローラを有し、上記搬送手段により搬送される被画像形成媒体に対して加熱することにより、被画像形成媒体上の現像剤を被画像形成媒体に定着させる定着手段と、
上記定着ローラの別々の部位の表面温度をそれぞれ検知する第１、第２の検知手段とを具備することを特徴とする画像形勢装置において、
少なくとも第１の検知手段による検知温度に基づいて、上記加熱手段への電源供給を制御することにより、上記定着ローラの表面温度を制御し、
上記第１、第２の検知手段による検知温度の温度差が第１の温度差以上となった際に、上記搬送手段による上記定着手段への被画像形成媒体の搬送を停止し、
上記搬送手段による上記定着手段への被画像形成媒体の搬送を停止後、上記第１、第２の検知手段により検知温度の温度差が第２の温度差以下となった際、上記搬送手段による上記定着手段への被画像形成媒体の搬送を再開する
ことを特徴とする画像形成方法。
【請求項７】
画像情報に応じた現像剤像を被画像形成媒体上に付与する付与手段と、
この付与手段による被画像形成媒体を搬送する搬送手段と、
加熱手段を内蔵する定着ローラを有し、上記搬送手段により搬送される被画像形成媒体に対して加熱することにより、被画像形成媒体上の現像剤を被画像形成媒体に定着させる定着手段と、
上記定着ローラの別々の部位の表面温度をそれぞれ検知する第１、第２の検知手段とを具備する画像形成装置において、
少なくとも第１の検知手段による検知温度に基づいて、上記加熱手段への電源供給を制御することにより、上記定着ローラの表面温度を制御し、
上記搬送手段により搬送される被画像形成媒体の幅が上記定着ローラの幅よりも狭く、かつ所定の幅以下であるか否かを判断し、
上記第１、第２の検知手段による検知温度の温度差が所定値以上となり、かつ被画像形成媒体が所定の幅以上と判断された際に、上記搬送手段による上記定着手段への被画像形成媒体の搬送を停止する、
ことを特徴とする画像形成方法。
【請求項８】
画像情報に応じた現像剤像を被画像形成媒体上に付与する付与手段と、
この付与手段による被画像形成媒体を搬送する搬送手段と、
加熱手段を内蔵する定着ローラを有し、上記搬送手段により搬送される被画像形成媒体に対して加熱することにより、被画像形成媒体上の現像剤を被画像形成媒体に定着させる定着手段と、
上記定着ローラの別々の部位の表面温度をそれぞれ検知する第１、第２の検知手段とを具備する画像形成装置において、
少なくとも第１の検知手段による検知温度に基づいて、上記加熱手段への電源供給を制御することにより、上記定着ローラの表面温度を制御し、
上記搬送手段により搬送される被画像形成媒体の幅が上記定着ローラの幅よりも狭く、かつ所定の幅以下であるか否かを判断し、
上記第１、第２の検知手段による検知温度の温度差が第１の温度差以上となり、かつ上記被画像形成媒体が所定の幅以上と判断された際に、上記搬送手段による上記定着手段への被画像形成媒体の搬送を停止し、
上記搬送手段による上記定着手段への被画像形成媒体の搬送を停止後、上記第１、第２の検知手段により検知温度の温度差が第２の温度差以下となった際、上記搬送手段による上記定着手段への被画像形成媒体の搬送を再開する、
ことを特徴とする画像形成方法。
【手続補正２】
【補正対象書類名】明細書
【補正対象項目名】００１０
【補正方法】変更
【補正の内容】
【００１０】
【課題を解決するための手段】
この発明の画像形成装置は、画像情報に応じた現像剤像を被画像形成媒体上に付与する付与手段、この付与手段による被画像形成媒体を搬送する搬送手段、加熱手段を内蔵する定着ローラを有し、上記搬送手段により搬送される被画像形成媒体に対して加熱することにより、被画像形成媒体上の現像剤を被画像形成媒体に定着させる定着手段、上記定着ローラの別々の部位の表面温度をそれぞれ検知する第１、第２の検知手段、少なくとも第１の検知手段による検知温度に基づいて、上記加熱手段への電源供給を制御することにより、上記定着ローラの表面温度を制御する制御手段、および上記第１、第２の検知手段による検知温度の温度差が所定値以上となった際に、上記定着手段への上記搬送手段による被画像形成媒体の搬送を停止する停止手段から構成されている。


【手続補正３】
【補正対象書類名】明細書
【補正対象項目名】００１１
【補正方法】変更
【補正の内容】
【００１１】
この発明の画像形成装置は、画像情報に応じた現像剤像を被画像形成媒体上に付与する付与手段、この付与手段による被画像形成媒体を搬送する搬送手段、加熱手段を内蔵する定着ローラを有し、上記搬送手段により搬送される被画像形成媒体に対して加熱することにより、被画像形成媒体上の現像剤を被画像形成媒体に定着させる定着手段、上記定着ローラの別々の部位の表面温度をそれぞれ検知する第１、第２の検知手段、少なくとも第１の検知手段による検知温度に基づいて、上記加熱手段への電源供給を制御することにより、上記定着ローラの表面温度を制御する制御手段、上記第１、第２の検知手段による検知温度の温度差が第１の温度差以上となった際に、上記搬送手段による上記定着手段への被画像形成媒体の搬送を停止する停止手段、および上記停止手段による停止後、上記第１、第２の検知手段により検知温度の温度差が第２の温度差以下となった際、上記搬送手段による上記定着手段への被画像形成媒体の搬送を再開する再開手段から構成されている。


【手続補正４】
【補正対象書類名】明細書
【補正対象項目名】００１２
【補正方法】変更
【補正の内容】
【００１２】
この発明の画像形成装置は、画像情報に応じた現像剤像を被画像形成媒体上に付与する付与手段、この付与手段による被画像形成媒体を搬送する搬送手段、加熱手段を内蔵する定着ローラを有し、上記搬送手段により搬送される被画像形成媒体に対して加熱することにより、被画像形成媒体上の現像剤を被画像形成媒体に定着させる定着手段、上記定着ローラの別々の部位の表面温度をそれぞれ検知する第１、第２の検知手段、少なくとも第１の検知手段による検知温度に基づいて、上記加熱手段への電源供給を制御することにより、上記定着ローラの表面温度を制御する制御手段、上記搬送手段により搬送される被画像形成媒体の幅が上記定着ローラの幅よりも狭く、かつ所定の幅以下であるか否かを判断する判断手段、および上記第１、第２の検知手段による検知温度の温度差が所定値以上となり、かつ上記判断手段により被画像形成媒体が所定の幅以上と判断された際に、上記搬送手段による上記定着手段への被画像形成媒体の搬送を停止する停止手段から構成されている。


【手続補正５】
【補正対象書類名】明細書
【補正対象項目名】００１３
【補正方法】変更
【補正の内容】
【００１３】
この発明の画像形成装置は、画像情報に応じた現像剤像を被画像形成媒体上に付与する付与手段、この付与手段による被画像形成媒体を搬送する搬送手段、加熱手段を内蔵する定着ローラを有し、上記搬送手段により搬送される被画像形成媒体に対して加熱することにより、被画像形成媒体上の現像剤を被画像形成媒体に定着させる定着手段、上記定着ローラの別々の部位の表面温度をそれぞれ検知する第１、第２の検知手段、少なくとも第１の検知手段による検知温度に基づいて、上記加熱手段への電源供給を制御することにより、上記定着ローラの表面温度を制御する制御手段、上記搬送手段により搬送される被画像形成媒体の幅が上記定着ローラの幅よりも狭く、かつ所定の幅以下であるか否かを判断する判断手段、上記第１、第２の検知手段による検知温度の温度差が第１の温度差以上となり、かつ上記判断手段により被画像形成媒体が所定の幅以上と判断された際に、上記搬送手段による上記定着手段への被画像形成媒体の搬送を停止する停止手段、および上記停止手段による停止後、上記第１、第２の検知手段により検知温度の温度差が第２の温度差以下となった際、上記搬送手段による上記定着手段への被画像形成媒体の搬送を再開する再開手段から構成されている。